(57)【特許請求の範囲】
【請求項１】
少なくとも２つの色のうちいずれかの色を有する複数のパターン片を多角形または円形の環状に配列することにより形成されたフレームパターンと、
前記フレームパターン内に形成され、少なくとも２つの色のうちいずれかの色を有する複数のパターン片を記号を形作るように配列することにより形成された記号パターンを配置することが可能な記号パターン配置領域と、
前記フレームパターンを形成する前記複数のパターン片のうちのいくつかのパターン片の配列により形成され、前記記号パターン配置領域内における前記記号パターンの存否を示す内部情報パターンと、
前記フレームパターン上、前記フレームパターン内または前記フレームパターンの近傍に配置され、光学的読取機能を備えた表示コード読取装置と前記フレームパターンとの位置関係を前記表示コード読取装置に認識させるガイドパターンとを備えた表示コードが付された物品。
【請求項２】
請求項１に記載された物品から前記表示コードを光学的に読み取る表示コード読取装置であって、
前記記号パターンに関連付けられた記号パターン関連情報と、前記記号パターンに関連付けられていない記号パターン非関連情報とを記憶する記憶手段と、
前記ガイドパターンに基づき、前記フレームパターンとの位置関係を認識し、前記フレームパターンの一部に形成された前記内部情報パターンを認識する内部情報認識手段と、
前記内部情報認識手段により認識された内部情報パターンに基づき、前記記号パターン配置領域における前記記号パターンの存否を認識し、前記記号パターン配置領域に前記記号パターンが存在する場合には、前記記号パターンを認識し、当該記号パターンに関連付けられた前記記号パターン関連情報を前記記憶手段から読み出し、前記記号パターン配置領域に前記記号パターンが存在しない場合には、前記記号パターン非関連情報を前記記憶手段から読み出す情報読出手段と、
前記情報読出手段により読み出された記号パターン関連情報または記号パターン非関連情報を出力する情報出力手段とを備えていることを特徴とする表示コード読取装置。
【請求項３】
少なくとも２つの色のうちいずれかの色を有する複数のパターン片を多角形または円形の環状に配列することにより形成されたフレームパターンと、前記フレームパターン内に形成され、少なくとも２つの色のうちいずれかの色を有する複数のパターン片を記号を形作るように配列することにより形成された記号パターンを配置することが可能な記号パターン配置領域と、前記フレームパターンを形成する前記複数のパターン片のうちのいくつかのパターン片の配列により形成され、前記記号パターン配置領域内における前記記号パターンの存否を示す内部情報パターンと、前記フレームパターン上、前記フレームパターン内または前記フレームパターンの近傍に配置され、光学的読取機能を備えた表示コード読取装置と前記フレームパターンとの位置関係を前記表示コード読取装置に認識させるガイドパターンとを備えた表示コードを生成し、当該生成した表示コードを物品に付す表示コード生成ステップと、
前記表示コード読取装置により、前記ガイドパターンを読み取り、当該読み取ったガイドパターンに基づき、前記フレームパターンとの位置関係を認識し、前記フレームパターンの一部に形成された前記内部情報パターンを認識する内部情報認識ステップと、
前記表示コード読取装置により、前記内部情報認識ステップにおいて認識された内部情報パターンに基づき、前記記号パターン配置領域における前記記号パターンの存否を認識し、前記記号パターン配置領域に前記記号パターンが存在する場合には、前記記号パターンを認識し、当該記号パターンに関連付けられた記号パターン関連情報を前記表示コード読取装置が有する記憶手段から読み出し、前記記号パターン配置領域に前記記号パターンが存在しない場合には、記号パターン非関連情報を前記記憶手段から読み出す情報読出ステップと、
前記表示コード読取装置により、前記情報読出ステップにおいて読み出された記号パターン関連情報または記号パターン非関連情報を出力する情報出力ステップとを備えていることを特徴とする情報伝達方法。
【発明の詳細な説明】
【技術分野】
【０００１】
本発明は、メッセージを人の目視を通じて直接的に伝達可能であると共に、メッセージに関連付けられた情報を光学的読取機能を備えた機器を通じて間接的に伝達可能である表示コードが付された物品、このような表示コードを読み取る表示コード読取装置、およびメッセージを人の目視を通じて直接的に伝達すると共に、メッセージに関連づけられた情報を光学的読取機能を備えた機器を通じて間接的に伝達する情報伝達方法に関する。
【背景技術】
【０００２】
従来、物品に付するコードとしてバーコード（一次元コード）や、ＱＲコード（登録商標）等の二次元コードが知られている。バーコードは、直線を一列に並べることにより形成されており、ラインスキャナにより読み取ることができる。また、ＱＲコードは、二次元平面上にドットを配列することにより形成されており、ＱＲコード読取専用のスキャナ、あるいはＱＲコードの読取機能を実現するためのソフトウェアがインストールされたカメラ付き携帯機器等により読み取ることができる。
【０００３】
バーコードにおける直線の配列や、ＱＲコードにおけるドットの配列は、スキャナ等の光学的読取機能を備えた機器にとっては読み取り易い情報であるが、それを見る人にとっては無意味な縞模様、あるいはランダムなドットの集まりでしかない。すなわち、バーコードもＱＲコードも、人が目視して認識可能なメッセージを何も表示していない。
【０００４】
このため、バーコードまたはＱＲコードは、それを商品に付すことにより当該商品の一定の面積を占有するにもかかわらず、当該商品を見る消費者に何も訴求することができない。それどころか、バーコードまたはＱＲコードが付されることにより、商品のデザインが悪化し、商品の訴求力が低下することがある。
【０００５】
一方、下記の特許文献１に記載された表示コードは、スキャナ等の光学的読取機能を備えた機器により容易かつ高精度に読み取ることができる情報と、人が目視して認識可能なメッセージとを二次元平面上に同時に表示することができる。この表示コードは、複数の升目を格子状に配列することにより形成される二次元空間における前記複数の升目のうちから１つ以上の升目を選び、この選ばれた各升目に所定の形状を有するパターン要素を配置することにより、人が目視して認識することができるメッセージを表す単一の記号パターンまたは複数の記号パターンからなる記号配列パターンが形成され、かつ、前記二次元空間における前記複数の升目のうち、前記記号配列パターンを形成するために、前記パターン要素が配置された升目をオンとし、前記パターン要素が配置されていない升目をオフとし、これらのオン、オフによって特定され、前記記号配列パターンに対応し、光学的読取機能を備えた機器により認識可能な二値情報に前記メッセージと異なる付加情報が付加されたコードである（特許文献１の請求項１および図２等を参照）。表示コードによれば、人が目視して認識可能なメッセージを表示することができるので、表示コードが付された商品のデザイン性を良くし、また、商品の訴求力を高めることができる。
【先行技術文献】
【特許文献】
【０００６】
【特許文献１】特許第４６２９７８８号公報
【発明の概要】
【発明が解決しようとする課題】
【０００７】
ところで、様々なメッセージを様々な態様で人に向けて表示するには、文字等の記号だけでなく、絵、イラスト、写真等を、物品に付するコードに含めることができるようにすることが望ましい。例えば、メッセージを表現する媒体として、絵、イラスト、写真等を、特許文献１に記載された表示コードに含めることができれば、表示コードが付された商品のデザイン性または訴求力を一層高めることができる。
【０００８】
しかしながら、特許文献１に記載の表示コードにおいて、メッセージを表現する媒体は、格子状に配列された升目にパターン要素を配置することにより形成される記号パターンないし記号配列パターンであるため、絵、イラスト、写真等を表示コードに含めることは困難である。
【０００９】
本発明は例えば上述したような問題に鑑みなされたものであり、本発明の課題は、メッセージを人の目視を通じて直接的に伝達すると共に、メッセージに関連付けられた情報を光学的読取機能を備えた機器を通じて間接的に伝達する機能を有することに加え、メッセージを表現する媒体として記号パターンだけでなく、絵、イラスト、写真等をも用いることができ、物品ないし商品の魅力、デザイン性、訴求力等を高めることができる表示コードが付された物品、このような表示コードを読み取る表示コード読取装置、またはこのような表示コードによる情報伝達方法を提供することにある。
【課題を解決するための手段】
【００１０】
上記課題を解決するために、本発明の物品は、表示コードが付された物品であって、表示コードは、少なくとも２つの色のうちいずれかの色を有する複数のパターン片を多角形または円形の環状に配列することにより形成されたフレームパターンと、前記フレームパターン内に形成され、少なくとも２つの色のうちいずれかの色を有する複数のパターン片を記号を形作るように配列することにより形成された記号パターンを配置することが可能な記号パターン配置領域と、前記フレームパターンを形成する前記複数のパターン片のうちのいくつかのパターン片の配列により形成され、前記記号パターン配置領域内における前記記号パターンの存否を示す内部情報パターンと、前記フレームパターン上、前記フレームパターン内または前記フレームパターンの近傍に配置され、光学的読取機能を備えた表示コード読取装置と前記フレームパターンとの位置関係を前記表示コード読取装置に認識させるガイドパターンとを備えていることを特徴とする。
【００１１】
上記課題を解決するために、本発明の表示コード読取装置は、上述した本発明の物品から前記表示コードを光学的に読み取る表示コード読取装置であって、前記記号パターンに関連付けられた記号パターン関連情報と、前記記号パターンに関連付けられていない記号パターン非関連情報とを記憶する記憶手段と、前記ガイドパターンに基づき、前記フレームパターンとの位置関係を認識し、前記フレームパターンの一部に形成された前記内部情報パターンを認識する内部情報認識手段と、前記内部情報認識手段により認識された内部情報パターンに基づき、前記記号パターン配置領域における前記記号パターンの存否を認識し、前記記号パターン配置領域に前記記号パターンが存在する場合には、前記記号パターンを認識し、当該記号パターンに関連付けられた前記記号パターン関連情報を前記記憶手段から読み出し、前記記号パターン配置領域に前記記号パターンが存在しない場合には、前記記号パターン非関連情報を前記記憶手段から読み出す情報読出手段と、前記情報読出手段により読み出された記号パターン関連情報または記号パターン非関連情報を出力する情報出力手段とを備えていることを特徴とする。
【００１２】
上記課題を解決するために、本発明の情報伝達方法は、少なくとも２つの色のうちいずれかの色を有する複数のパターン片を多角形または円形の環状に配列することにより形成されたフレームパターンと、前記フレームパターン内に形成され、少なくとも２つの色のうちいずれかの色を有する複数のパターン片を記号を形作るように配列することにより形成された記号パターンを配置することが可能な記号パターン配置領域と、前記フレームパターンを形成する前記複数のパターン片のうちのいくつかのパターン片の配列により形成され、前記記号パターン配置領域内における前記記号パターンの存否を示す内部情報パターンと、前記フレームパターン上、前記フレームパターン内または前記フレームパターンの近傍に配置され、光学的読取機能を備えた表示コード読取装置と前記フレームパターンとの位置関係を前記表示コード読取装置に認識させるガイドパターンとを備えた表示コードを生成し、当該生成した表示コードを物品に付す表示コード生成ステップと、前記表示コード読取装置により、前記ガイドパターンを読み取り、当該読み取ったガイドパターンに基づき、前記フレームパターンとの位置関係を認識し、前記フレームパターンの一部に形成された前記内部情報パターンを認識する内部情報認識ステップと、前記表示コード読取装置により、前記内部情報認識ステップにおいて認識された内部情報パターンに基づき、前記記号パターン配置領域における前記記号パターンの存否を認識し、前記記号パターン配置領域に前記記号パターンが存在する場合には、前記記号パターンを認識し、当該記号パターンに関連付けられた記号パターン関連情報を前記表示コード読取装置が有する記憶手段から読み出し、前記記号パターン配置領域に前記記号パターンが存在しない場合には、記号パターン非関連情報を前記記憶手段から読み出す情報読出ステップと、前記表示コード読取装置により、前記情報読出ステップにおいて読み出された記号パターン関連情報または記号パターン非関連情報を出力する情報出力ステップとを備えていることを特徴とする。
【発明の効果】
【００１３】
本発明によれば、メッセージを人の目視を通じて直接的に伝達すると共に、メッセージに関連付けられた情報を光学的読取機能を備えた機器を通じて間接的に伝達する機能を有することに加え、メッセージを表現する媒体として記号パターンだけでなく、絵、イラスト、写真等をも用いることができ、物品ないし商品の魅力、デザイン性、訴求力等を高めることができる。
【図面の簡単な説明】
【００１４】
【図１】本発明の実施形態による表示コードであってその記号パターン配置領域内に記号パターンが配置されたものが付された物品による情報伝達の概要を示す説明図である。
【図２】本発明の実施形態による表示コードであってその記号パターン配置領域内に記号パターンが配置されたものの外観上の全体的な構造を示す説明図である。
【図３】本発明の実施形態による表示コードであってその記号パターン配置領域内に記号パターンが配置されていないものが付された物品による情報伝達の概要を示す説明図である。
【図４】本発明の実施形態による表示コードであってその記号パターン配置領域内に記号パターンが配置されていないものの外観上の全体的な構造を示す説明図である。
【図５】本発明の実施形態による表示コードにおけるフレームパターンを示す説明図である。
【図６】本発明の実施形態による表示コードにおける記号パターンの構造を示す説明図である。
【図７】本発明の実施形態による表示コードで用いることが可能な記号パターンの集まりを示す説明図である。
【図８】本発明の実施形態による表示コードの記号パターン配置領域における記号パターンの配置を示す説明図である。
【図９】本発明の実施形態による表示コードにおける内部情報パターンを示す説明図である。
【図１０】本発明の実施形態による表示コードであってその記号パターン配置領域内に記号パターンが配置されたものにおける組合せ情報を示す説明図である。
【図１１】本発明の実施形態による表示コードであってその記号パターン配置領域内に記号パターンが配置されていないものにおける組合せ情報を示す説明図である。
【図１２】本発明の実施形態による表示コード生成装置の構成を示すブロック図である。
【図１３】本発明の実施形態による表示コード生成装置における表示コード生成画面を示す説明図である。
【図１４】本発明の実施形態による表示コード読取装置の構成を示すブロック図である。
【図１５】本発明の実施形態による表示コード読取装置の動作を示すフローチャートである。
【図１６】本発明の他の実施形態による表示コードにおけるフレームパターンを示す説明図である。
【発明を実施するための形態】
【００１５】
以下、本発明の実施の形態について図面を参照しながら説明する。
【００１６】
（情報伝達の概要）
図１は、本発明の実施形態による表示コードが付された物品による情報伝達の概要を示している。図２は、当該表示コードの外観上の全体的な構造を示している。
【００１７】
本発明の実施形態による表示コード１が付された物品による情報伝達は概ね次のように実施される。まず、表示コード生成装置により、図１に示す表示コード１を生成する。表示コード１は、メッセージを人の目視を通じて直接的に伝達すると共に、メッセージに関連付けられた情報を光学的読取機能を備えた機器を通じて間接的に伝達する機能を有するコードである。
【００１８】
表示コード１は、図２に示すように、フレームパターン１１内に形成された記号パターン配置領域１３内に記号パターン１４または画像３１（図４参照）を配置し、フレームパターン１１の一部に内部情報パターン２４、２５、２６を形成することにより形成されている。内部情報パターン２４、２５、２６は、記号パターン配置領域１３内における記号パターン１４の存否、および、記号パターン配置領域１３内に記号パターン１４が存在する場合には当該記号パターン１４の記号パターン配置領域１３内におけるレイアウトを示す情報である。
【００１９】
図１に示す表示コード１は、その記号パターン配置領域１３内に３つの記号パターン１４が配置されている。これら記号パターン１４の配列は、「Ｂ１２」というメッセージを表現している。そして、このメッセージは地下鉄駅の出口番号がＢ１２であることを示している。また、これら記号パターン１４の配列には、記号パターン関連情報４３が関連付けられている。図１に示す例では、記号パターン関連情報４３は、「Ｓ駅  Ｂ１２  出口案内：ＬＭ運転免許試験場、ＰＱＲ出張所、…」であり、Ｓ駅からここに列挙した施設に向かうには出口番号Ｂ１２の出口を利用することが便利である旨を示している。また、図１に示す表示コード１における内部情報パターン２４、２５、２６は、記号パターン配置領域１３内に記号パターン１４が存在すること、および記号パターン１４の記号パターン配置領域１３内におけるレイアウトを示している。
【００２０】
次に、表示コード生成装置により生成された組合せ情報を、光学的読取機能を備えた機器である表示コード読取装置４に転送し、表示コード読取装置４の記憶部に記憶させる。組合せ情報は、表示コード１の生成過程において表示コード生成装置により生成される情報である。図１に示すように、記号パターン配置領域１３内に記号パターン１４が存在する場合、組合せ情報は、記号パターン１４の配列とそれに関連付けられた記号パターン関連情報４３との組合せを示す情報である。また、図１に示す例では、表示コード読取装置４はカメラを搭載したスマートフォンである。
【００２１】
次に、表示コード生成装置により生成された表示コード１を物品に付し、この表示コード１が付された物品を人が目視し得る場所に配置する。図１に示す例では、案内板２が物品に当たる。すなわち、表示コード１を案内板２に印刷し、この表示コード１が印刷された案内板２を地下鉄駅の出口番号Ｂ１２の出口近傍に設置する。なお、表示コード１を物品に付す場合の「付す」には、印刷すること、刻み込むこと、書き込むこと、貼り付けること等、種々の態様を含む。また、表示コード１を表示装置（例えば液晶ディスプレイ）の画面に表示させることも「付す」の一態様である。
【００２２】
次に、人が目視し得る場所に配置された物品に付された表示コード１を表示コード読取装置４により読み取る。例えば地下鉄駅の利用者が、表示コード読取装置４で、案内板２に付された表示コード１を撮影して表示コード読取装置４に読み取らせる。表示コード読取装置４は、読み取った表示コード１における内部情報パターン２４、２５、２６を認識し、記号パターン配置領域１３内に記号パターン１４が存在すること、および記号パターン１４の記号パターン配置領域１３内におけるレイアウトを知る。続いて、表示コード読取装置４は、読み取った表示コード１における記号パターン配置領域１３内に配置された記号パターン１４を認識する。続いて、表示コード読取装置４は、認識した記号パターン１４の配列に関連付けられた記号パターン関連情報４３を、表示コード読取装置４の記憶部に記憶された組合せ情報に基づいて特定し、この特定した記号パターン関連情報４３を表示コード読取装置４の表示部８９に表示する。例えば地下鉄駅の利用者は、表示部８９に表示された記号パターン関連情報４３、すなわち出口番号Ｂ１２の出口案内を見て、出口番号Ｂ１２の出口を利用すべきかどうか等を決定することができる。
【００２３】
このように、表示コード１が付された案内板２によれば、人に目視を通じてメッセージ（「Ｂ１２」）を直接的に伝達することができると共に、表示コード読取装置４を介しての情報（記号パターン関連情報４３：出口番号Ｂ１２の出口案内）の間接的な伝達を高精度に行うことができる。
【００２４】
図３は、記号パターン配置領域１３内に画像３１が配置された表示コード１が付された物品による情報伝達の概要を示している。図４は、当該表示コードの外観上の全体的な構造を示している。
【００２５】
図３に示すように、表示コード生成装置により、記号パターン配置領域１３内に記号パターン１４が存在せず、その代わりに画像３１が存在する表示コード１を生成することができる。画像３１は、図４に示すように、地下鉄駅の出口が工事中であることを示した絵またはイラストである。画像３１は、パターン片１２により形成されているものではない。画像３１には、パターン片１２の配列では形成し得ない、滑らか曲線が用いられている。
【００２６】
また、記号パターン配置領域１３内に記号パターン１４が存在しない表示コード１には、記号パターン非関連情報４５が関連付けられている。図３に示す例では、記号パターン非関連情報４５は、「この出口は現在工事中です。他の出口をご利用ください。」であり、出口が工事中である旨の告知と、他の出口の利用案内を示している。また、図３に示す表示コード１における内部情報パターン２４は、記号パターン配置領域１３内に記号パターン１４が存在しないことを示している。
【００２７】
また、図３に示すように記号パターン配置領域１３内に記号パターン１４が存在しない場合、表示コード読取装置４の記憶部に記憶させる組合せ情報は、後述するように、記号パターン不存在情報と記号パターン非関連情報４５との組合せを示す情報である。
【００２８】
また、図３の例では、表示コード１を案内板２に印刷し、この表示コード１が印刷された案内板２を地下鉄駅の工事中の出口近傍に設置する。
【００２９】
また、地下鉄駅の利用者が、表示コード読取装置４で、図３に示す表示コード１を撮影して表示コード読取装置４に読み取らせたとき、表示コード読取装置４は、読み取った表示コード１における内部情報パターン２４を認識し、記号パターン配置領域１３内に記号パターン１４が存在しないことを知る。この場合、表示コード読取装置４は記号パターン１４を認識する処理は行わない。続いて、表示コード読取装置４は、読み取った表示コード１に関連付けられた記号パターン非関連情報４５を、表示コード読取装置４の記憶部に記憶された組合せ情報に基づいて特定し、この特定した記号パターン非関連情報４５を表示コード読取装置４の表示部８９に表示する。例えば地下鉄駅の利用者は、表示部８９に表示された記号パターン非関連情報４５を見て、出口の工事関する情報を取得することができる。
【００３０】
このように、表示コード１によれば、メッセージを表現する媒体として、記号パターン１４だけでなく、画像３１を用いることができる。また、画像３１を用いた場合でも、表示コード読取装置４を介しての情報（記号パターン非関連情報４５：出口工事告知等）の間接的な伝達を高精度に行うことができる。表示コード１では、メッセージを表現する媒体として、画像３１のようなイラスト、絵だけでなく、写真、手書きの文字、高度にデザインされた記号、装飾文字、造形物等を用いることができる。
【００３１】
（フレームパターンの構造）
図５はフレームパターン１１の構造を示している。フレームパターン１１は、少なくとも２つの色のうちいずれかの色を有する複数のパターン片１２を多角形または円形の環状に配列することにより形成されたパターンである。本実施形態では、パターン片１２は白および黒のいずれかの色を有し、また、フレームパターン１１は複数のパターン片１２を四角形の環状に配列することにより形成されている。各パターン片１２は、例えば四角形である。例えば、白色のパターン片１２が「０」に対応し、黒色のパターン片１２が「１」に対応することとすれば、白色のパターン片１２と黒色のパターン片１２とをＸ方向（横方向）または縦方向（Ｙ方向）に配列することにより、２値情報を表すことができる。また、フレームパターン１１の内部には記号パターン配置領域１３が形成されている。
【００３２】
また、フレームパターン１１上には、ガイドパターン２１、２２、内部情報パターン２４、２５、２６および拡張パターン２８が形成される。
【００３３】
ガイドパターン２１、２２は、表示コード読取装置４が、表示コード１を読み取るときに、表示コード読取装置４とフレームパターン１１との位置関係を表示コード読取装置４に認識させるパターンである。表示コード読取装置４は、ガイドパターン２１、２２を読み取ることにより、フレームパターン１１の位置、向きおよび大きさ等を認識することができる。ガイドパターン２１はフレームパターン１１の四隅にそれぞれ配置され、ガイドパターン２２はフレームパターン１１の上辺の中間部、下辺の中間部、左辺の中間部および右辺の中間部にそれぞれ配置されている。なお、ガイドパターン２１、２２の態様（形状）は、図５に示す態様に限定されない。また、ガイドパターン２１、２２を、フレームパターン１１上またはフレームパターン１１内ではなく、フレームパターン１１外であってフレームパターン１１の近傍、例えばフレームパターン１１に隣接した位置に配置してもよい。
【００３４】
内部情報パターン２４、２５、２６は、記号パターン配置領域１３内における記号パターン１４の存否、および、記号パターン配置領域１３内に記号パターン１４が存在する場合には当該記号パターン１４の記号パターン配置領域１３内におけるレイアウトを示す情報である。内部情報パターン２４、２５、２６については後に詳述する。
【００３５】
拡張パターン２８は、表示コード１の設計者が必要に応じて設けることができる。表示コード１の設計者は任意の情報を示す拡張パターン２８を規定することができる。拡張パターン２８は必ずしも設けなくてもよい。
【００３６】
なお、ガイドパターン２１、２２、内部情報パターン２４、２５、２６、および拡張パターン２８は、人が目視して認識可能なメッセージを表すものではない。
【００３７】
（記号パターン）
図６は記号パターン１４の構造を示している。図６に示すように、記号パターン１４は、少なくとも２つの色のうちいずれかの色を有する複数のパターン片を記号を形作るように配列することにより形成されたパターンである。本実施形態では、パターン片１２は白および黒のいずれかの色を有する。また、本実施形態では、記号パターン１４は、６５個のパターン片１２をＸ方向に５個配列し、Ｙ方向に１３個配列することにより、全体として四角形状のパターン片１２の集まりを形成し、この６５個のパターン片１２の集まりにおいて、黒色のパターン片１２で記号自体を作り、白色のパターン片１２で記号の背景を作ることにより形成されている。図６に示す記号パターン１４は「Ｂ」を表す。
【００３８】
図７は、表示コード１で用いることが可能な記号パターン１４を示している。図７に示すように、白および黒のいずれかの色を有する６５個のパターン片１２を適宜配置することにより、数字（０〜９）、アルファベット（Ａ〜Ｚ、ａ〜ｚ）およびその他の記号（「！」、「”」、「＃」、「＄」、「％」、「＆」、「’」、「（」、「）」、…）を表す記号パターン１４をそれぞれ形成することができる。なお、記号パターン１４を形成するパターン片１２の個数および配列の態様は限定されず、また、記号パターン１４として表現する記号の種類も限定されない。また、黒色と白色を反転させてもよいし、黒色、白色以外の色を用いてもよい。
【００３９】
（記号パターン配置領域）
図８は、記号パターン配置領域１３を示している。図８に示すように、本実施形態において、記号パターン配置領域１３は四角形状に形成され、Ｘ方向に２９個のパターン片１２を配列することができ、また、Ｙ方向に２９個のパターン片１２を配列することができる程度の面積を有している。
【００４０】
また、ユーザは、記号パターン配置領域１３内における記号パターン１４のレイアウトを任意に設定することができる。具体的には、図８に示すように、ユーザは、記号パターン配置領域１３内における記号パターン１４の位置を任意に設定することができる。より具体的には、ユーザは、記号パターン１４のＸ方向オフセットＤ１およびＹ方向オフセットＤ２を任意に設定することができる。Ｘ方向オフセットＤ１とは、記号パターン配置領域１３内において、記号パターン１４の位置をＸ方向に移動させる量（升目数）である。Ｙ方向オフセットＤ２とは、記号パターン配置領域１３内において、記号パターン１４の位置をＹ方向に移動させる量（升目数）である。例えば、Ｘ方向オフセットＤ１を「１」に設定すると、記号パターン１４の位置が右方向に１升目に相当する量移動する。また、Ｙ方向オフセットＤ２を「１」に設定すると、記号パターン１４の位置が下方向に１升目に相当する量移動する。
【００４１】
また、ユーザは２つの記号パターン１４間の間隔の大きさを任意に設定することができる。より具体的には、ユーザは、記号パターン１４のＸ方向スペースＤ３およびＹ方向スペースを任意に設定することができる。Ｘ方向スペースＤ３とは、Ｘ方向に隣り合う２つの記号パターン１４間に介在する升目数である。Ｙ方向スペースはＹ方向に隣り合う２つの記号パターン１４間に介在する升目数である。
【００４２】
また、ユーザは記号パターン配置領域１３内に配置する記号パターン１４のＸ方向の個数（桁数）およびＹ方向の個数（行数）を任意に設定することができる。
【００４３】
（内部情報パターン）
図９は内部情報パターン２４、２５、２６を示している。図９に示すように、本実施形態においては、３つの内部情報パターン２４、２５、２６があり、３つの内部情報パターン２４、２５、２６がフレームパターン１１の上辺の左部、左辺の上部および右辺の上部にそれぞれ形成される。
【００４４】
図９（１）に示すように、フレームパターン１１の上辺の左部に形成される内部情報パターン２４において、例えば、最上位１ビットが記号パターン配置領域１３内における記号パターン１４の存否を示す。記号パターン配置領域１３内に記号パターン１４が存在する場合には、例えば「０」を表す白色のパターン片１２が内部情報パターン２４の最上位ビットに相当する位置に配置される。一方、記号パターン配置領域１３内に記号パターン１４が存在しない場合には、例えば「１」を表す黒色のパターン片１２が内部情報パターン２４の最上位ビットに相当する位置に配置される。また、内部情報パターン２４において、最上位１ビットに続く５ビットが記号パターン１４のＸ方向オフセットを示し、それに続く４ビットが記号パターン１４のＹ方向オフセットを示し、それに続く２ビットが未使用ビットであり、それに続く１ビットがパリティビットである。また、内部情報パターン２４は、図５に示すように、その最上位ビットが左側を向くようにフレームパターン１１の上辺の左部に配置される。
【００４５】
また、図９（２）に示すように、フレームパターン１１の左辺の上部に形成される内部情報パターン２５において、例えば、最上位５ビットが記号パターン１４のＸ方向スペースを示し、それに続く４ビットが記号パターン１４のＹ方向スペースを示し、それに続く３ビットが未使用ビットであり、それに続く１ビットがパリティビットである。内部情報パターン２５は、図５に示すように、その最上位ビットが上側を向くようにフレームパターン１１の左辺の上部に配置される。
【００４６】
また、図９（３）に示すように、フレームパターン１１の右辺の上部に形成される内部情報パターン２６において、例えば、最上位３ビットが記号パターン１４の桁数を示し、それに続く３ビットが記号パターン１４の行数を示し、それに続く６ビットが未使用ビットであり、それに続く１ビットがパリティビットである。内部情報パターン２６は、図５に示すように、その最上位ビットが上側を向くようにフレームパターン１１の右辺の上部に配置される。
【００４７】
（組合せ情報）
図１０および図１１は組合せ情報を示している。記号パターン配置領域１３内に記号パターン１４が存在する場合、組合せ情報４１は、図１０に示すように、記号パターン１４の配列と、それに関連付けられた記号パターン関連情報４３との組合せを示す情報であり、より具体的には、記号パターン１４の配列に対応するテキスト情報であるメッセージテキスト情報４２と、当該記号パターン１４の配列に関連付けられた記号パターン関連情報４３との組合せである。また、記号パターン配置領域１３内に記号パターン１４が存在しない場合、組合せ情報４１は、図１１に示すように、記号パターン不存在情報４４と記号パターン非関連情報４５との組合せである。記号パターン不存在情報４４は、例えば、いかなるメッセージテキスト情報４２とも一致することがない情報であることが望ましく、例えば未使用の文字コードを用いてもよい。
【００４８】
組合せ情報４１は、表示コード１が生成される過程において表示コード生成装置により生成され、その後、表示コード生成装置から表示コード読取装置４に転送され、表示コード読取装置４の記憶部８６に記憶される。そして、表示コード読取装置４が、物品に付された表示コード１を読み取って、この表示コード１に対応する記号パターン関連情報４３または記号パターン非関連情報４５を表示部８９に表示するとき、組合せ情報４１を参照し、読み取った表示コード１に対応する記号パターン関連情報４３または記号パターン非関連情報４５を特定する。
【００４９】
なお、記号パターン関連情報４３および記号パターン非関連情報４５は、本実施形態においてはテキスト情報であるが、音声情報、静止画情報、動画情報、コンピュータプログラム等でもよい。
【００５０】
（表示コード生成装置）
図１２は表示コード生成装置の構成を示している。図１３は表示コード生成装置の表示部に表示された表示コード生成画面を示している。図１２において、表示コード生成装置３は、表示コード１を生成する装置であり、パーソナルコンピュータ等により実現することができる。表示コード生成装置３は、フレームパターン形成部６１、記号パターン形成部６２、組合せ情報生成部６３、ガイド・拡張パターン形成部６４、記憶部６５、情報入出力部６６、操作部６７および表示部６８を備えている。
【００５１】
フレームパターン形成部６１は、表示コード１におけるフレームパターン１１および内部情報パターン２４、２５、２６を形成する。記号パターン形成部６２は、表示コード１における記号パターン１４を形成する。組合せ情報生成部６３は組合せ情報４１を生成する。ガイド・拡張パターン形成部６４は、ガイドパターン２１、２２および拡張パターン２８を形成する。フレームパターン形成部６１、記号パターン形成部６２、組合せ情報生成部６３およびガイド・拡張パターン形成部６４は、例えば、これらの機能を実現するためのコンピュータプログラムをパーソナルコンピュータに読み取らせ、このコンピュータプログラムをパーソナルコンピュータのＣＰＵ（Ｃｅｎｔｒａｌ  Ｐｒｏｃｅｓｓｉｎｇ  Ｕｎｉｔ）により実行させることにより具現化される。
【００５２】
記憶部６５は、ＲＡＭ（Ｒａｎｄｏｍ  Ａｃｃｅｓｓ  Ｍｅｍｏｒｙ）、フラッシュメモリ、ハードディスクドライブ等の記憶媒体ないし記憶装置であり、パーソナルコンピュータが一般に備えているものを利用して具現化することができる。記憶部６５には、表示コード１の生成過程において組合せ情報４１のほか、表示コード１の生成に必要な情報が記憶される。
【００５３】
情報入出力部６６は、ＵＳＢ（Ｕｎｉｖｅｒｓａｌ  Ｓｅｒｉａｌ  Ｂｕｓ）メモリやメモリーカード等の外部メモリを接続して外部メモリとの間で情報の読み書きを行うインタフェース、ＬＡＮ（Ｌｏｃａｌ  Ａｒｅａ  Ｎｅｔｗｏｒｋ）を用いて他の機器と情報の通信を行うＬＡＮインタフェース、または光ディスクドライブ等であり、パーソナルコンピュータが一般に備えているものを利用して具現化することができる。情報入出力部６６は、生成された表示コード１および組合せ情報４１を出力する。
【００５４】
操作部６７は、例えばキーボード、マウス等であり、表示部６８は例えば液晶ディスプレイである。これらは、パーソナルコンピュータが一般に備えているものを利用して具現化することができる。
【００５５】
このような構成を有する表示コード生成装置３は次のように動作する。ユーザが表示コード生成装置３を起動させると（例えばユーザがパーソナルコンピュータの電源入れ、オペレーティングシステムが起動した後に、表示コード生成装置３を実現するためのコンピュータプログラムを起動させると）、表示部６８には、図１３に示すような表示コード生成画面７１が表示される。表示コード生成画面７１は、ユーザが表示コード生成装置３により表示コード１を生成するための画面である。
【００５６】
表示コード生成画面７１において、表示コード１の記号パターン配置領域１３内に記号パターン１４を配置する場合、ユーザは、操作部６７を操作し、表示コード１により人の目視を通じて伝達したいメッセージを表すテキスト（例えば「Ｂ１２」）を、メッセージ入力領域７２に入力し、入力が終了したら、パターン形成ボタン７３をクリック（押下）する。これに応じ、記号パターン形成部６２は、ユーザによりメッセージ入力領域７２に入力されたテキストに対応する記号パターンの配列を、表示コード生成画面７１の記号パターン表示領域７４に表示する。
【００５７】
また、ユーザは、レイアウトボタン７５をクリックすることで、記号パターン１４のＸ方向オフセット、Ｙ方向オフセット、Ｘ方向スペース、Ｙ方向スペース、桁数および行数の設定入力を行うことができる。記号パターン形成部６２はユーザの設定入力に従い、記号パターン１４のＸ方向オフセット、Ｙ方向オフセット、Ｘ方向スペース、Ｙ方向スペース、桁数および行数を設定する。
【００５８】
続いて、表示コード生成画面７１において、ユーザは、操作部６７を操作し、表示コード１を表示コード読取装置４で読み取らせることにより伝達したい情報を表すテキスト（例えば「Ｓ駅  Ｂ１２  出口案内：ＬＭ運転免許試験場、…）を、表示コード生成画面７１の情報入力領域７６に入力し、入力が終了したら、登録ボタン７７をクリックする。これに応じ、組合せ情報生成部６３は、情報入力領域７６に入力されたテキスト（記号パターン関連情報４３）と、メッセージ入力領域７２に入力されたテキストとを組み合わせた組合せ情報４１を生成し、この組合せ情報４１を記憶部６５に記憶する。
【００５９】
続いて、フレームパターン形成部６１、記号パターン形成部６２およびガイド・拡張パターン形成部６４は、表示コード１の外観を形成するパターンの全体（以下、これを「表示コードパターン」という。）を生成する。具体的には、フレームパターン形成部６１が、記号パターン配置領域１３内に記号パターン１４が存在すること、および記号パターン１４の記号パターン配置領域１３におけるレイアウトを示す内部情報パターン２４、２５、２６を形成する。また、フレームパターン形成部６１およびガイド・拡張パターン形成部６４が、ガイドパターン２１、２２、内部情報パターン２４、２５、２６および拡張パターン２８が配置されたフレームパターン１１を形成する。さらに、記号パターン形成部６２が、記号パターン配置領域１３内に、ユーザがメッセージ入力領域７２に入力したテキストに対応する記号パターン１４の配列を形成する。このようにして生成された表示コードパターンは記憶部６５に記憶される。
【００６０】
一方、表示コード１の記号パターン配置領域１３内に画像３１を配置する場合、ユーザは、表示コード生成画面７１において画像挿入ボタン７８をクリックすることにより、画像選択画面（図示せず）を開き、画像選択画面において所望の画像を選択する。選択された画像は、記号パターン表示領域７４に表示される。
【００６１】
続いて、ユーザは、表示コード１を表示コード読取装置４で読み取らせることにより伝達したい情報を表すテキスト（例えば「この出口は現在工事中です…）を、表示コード生成画面７１の情報入力領域７６に入力し、入力が終了したら、登録ボタン７７をクリックする。これに応じ、組合せ情報生成部６３は、情報入力領域７６に入力されたテキスト（記号パターン非関連情報４５）と、記号パターン不存在情報４４とを組み合わせた組合せ情報４１を生成し、この組合せ情報４１を記憶部６５に記憶する。
【００６２】
続いて、フレームパターン形成部６１、記号パターン形成部６２およびガイド・拡張パターン形成部６４は、表示コードパターンを生成する。具体的には、フレームパターン形成部６１が、記号パターン配置領域１３内に記号パターン１４が存在しないことを示す内部情報パターン２４等を形成する。また、フレームパターン形成部６１およびガイド・拡張パターン形成部６４が、ガイドパターン２１、２２、内部情報パターン２４、２５、２６および拡張パターン２８が配置されたフレームパターン１１を形成する。さらに、記号パターン形成部６２が、ユーザにより選択された画像を記号パターン配置領域１３内に配置する。このようにして生成された表示コードパターンは記憶部６５に記憶される。
【００６３】
このようにして表示コードパターンが表示コード生成装置３の記憶部６５に記憶された後、ユーザは、記憶部６５に記憶された表示コードパターンおよび組合せ情報４１を、情報入出力部６６を介して表示コード生成装置３から外部に出力させることが可能になる。利用者は、表示コード生成装置３から出力された表示コードパターンを用いて、表示コード１を物品に付す作業を行う。また、利用者は、表示コード生成装置３から出力された組合せ情報４１を表示コード読取装置４に転送ないし入力し、表示コード読取装置４の記憶部に記憶する作業を行う。
【００６４】
（表示コード読取装置）
図１４は表示コード読取装置４の構成を示している。図１５は、表示コード読取装置４により行われる表示コード読取処理を示している。図１４において、表示コード読取装置４は、物品に付された表示コード１を読み取る装置であり、例えばスマートフォン等の端末機器、あるいはコードリーダ装置等により実現することができる。表示コード読取装置４は、読取部８１、補正部８２、内部情報認識部８３、記号パターン認識部８４、情報読出部８５、記憶部８６、情報入出力部８７、操作部８８および表示部８９を備えている。
【００６５】
読取部８１は、例えばスキャナまたはカメラ等であり、物品に表示された表示コード１を光学的に読み取る。読取部８１は、物品に付された表示コード１を、当該物品から離れた位置で読み取ることができる。
【００６６】
補正部８２は、表示コード１のガイドパターン２１、２２に基づき、表示コード１の読取結果の補正等を行う。
【００６７】
内部情報認識部８３は、読み取られた表示コード１における内部情報パターン２４を認識する。
【００６８】
記号パターン認識部８４は、読み取られた表示コード１の記号パターン配置領域１３内に記号パターン１４が存在する場合に、その記号パターン１４を認識する。
【００６９】
情報読出部８５は、読み取られた表示コード１における記号パターン１４の配列に関連付けられた記号パターン関連情報４３、または表示コード１に関連付けられた記号パターン非関連情報４４を特定し、これらを記憶部８６から読み出す。
【００７０】
補正部８２、内部情報認識部８３、記号パターン認識部８４および情報読出部８５は、これらを実現するためのコンピュータプログラムを、表示コード読取装置４に設けられたＣＰＵ等に実行させることにより具現化される。
【００７１】
記憶部８６は、例えばＲＡＭ、フラッシュメモリ等の記録媒体により構成されている。記憶部８６には、組合せ情報４１等が記憶される。
【００７２】
情報入出力部８７は、ＵＳＢメモリ、カードメモリ等との接続インタフェース、ＬＡＮインタフェース、通信インタフェース等である。
【００７３】
操作部８８は表示コード読取装置４を操作するためのキースイッチ等である。表示部８９は例えば液晶ディスプレイである。
【００７４】
このような構成を有する表示コード読取装置４は以下に示す表示コード読取処理を行う。表示コード読取装置４による表示コード読取処理を開始する前に、ユーザは、表示コード生成装置３により生成され、表示コード生成装置３から出力された組合せ情報４１を、表示コード読取装置４の情報入出力部８７を介して表示コード読取装置４に入力し、表示コード読取装置４の記憶部８６に記憶する。例えば、図２に示す表示コード１と図４に示す表示コード１との双方を表示コード生成装置３により生成した場合には、これら２つの表示コード１についての組合せ情報４１を記憶部８６に記憶する。これら２つの組合せ情報４１を記憶部８６に記憶することにより、記憶部８６には、記号パターン関連情報４３と記号パターン非関連情報４４が記憶されることとなる。そして、ユーザは、表示コード読取装置４の読取部８１を、物品に付された表示コード１に向け、操作部８８を操作して読取部８１による読取動作を開始させる。これに応じ、表示コード読取装置４は表示コード読取処理を開始する。
【００７５】
図１５に示すように、表示コード読取処理において、まず、読取部８１が、物品に付された表示コード１を撮影またはスキャンすることにより光学的に読み取り、補正部８２が、読み取られた表示コード１におけるガイドパターン２１、２２を認識する（ステップＳ１）。さらに、補正部８２が、ガイドパターン２１、２２に基づき、表示コード１と表示コード読取装置４との位置関係を認識する。そして、読取部８１は、表示コード１と表示コード読取装置４との位置関係が適正な関係となるまで、表示コード１の読取を繰り返す。表示コード１と表示コード読取装置４との位置関係が適正な関係となった後、補正部８２は、ガイドパターン２１、２２に基づき、表示コード１の読取結果を補正する。具体的には、補正部８２は、ガイドパターン２１、２２の態様および配置に基づいて表示コード１の読取方向が適正かどうかを判定し、読取方向が誤っている場合には、読み取られた表示コード１の表示コードパターン（表示コード１の外観を形成するパターンの全体）を適正な方向となるように回転させる。また、補正部８２は、ガイドパターン２１、２２の態様および配置に基づいて、読み取られた表示コード１の表示コードパターンの読取位置のずれやゆがみを補正する。さらに、補正部８２は、読み取られた表示コード１の表示コードパターンのコントラストを強調し、ノイズを除去する。
【００７６】
続いて、内部情報認識部８３が、読み取られた表示コード１における内部情報パターン２４を認識する（ステップＳ２）。続いて、内部情報認識部８３は、認識した内部情報パターン２４に基づき、読み取られた表示コード１における記号パターン配置領域１３内に記号パターン１４が存在するか否かを判断する（ステップＳ３）。
【００７７】
読み取られた表示コード１における記号パターン配置領域１３内に記号パターン１４が存在する場合には（ステップＳ３：ＹＥＳ）、記号パターン認識部８４が、内部情報パターン２４、２５、２６に基づいて記号パターン１４のレイアウトを認識し、続いて、記号パターン１４を認識する（ステップＳ４）。続いて、記号パターン認識部８４は必要に応じて拡張パターン２８を認識する。
【００７８】
続いて、情報読取部８５が、記憶部８６に記憶された組合せ情報４１を参照し、認識された記号パターン１４の配列に関連付けられた記号パターン関連情報４３を特定し、当該記号パターン関連情報４３を記憶部８６から読み出す（ステップＳ５）。
【００７９】
一方、読み取られた表示コード１における記号パターン配置領域１３内に記号パターン１４が存在しない場合には（ステップＳ３：ＮＯ）、記号パターン認識部８４は、記号パターン１４の認識処理を行わない。続いて、記号パターン認識部８４は必要に応じて拡張パターン２８を認識する。
【００８０】
続いて、情報読取部８５が、記憶部８６に記憶された組合せ情報４１を参照し、読み取られた表示コード１に関連付けられた記号パターン非関連情報４５を特定し、当該記号パターン非関連情報４５を記憶部８６から読み出す（ステップＳ６）。
【００８１】
続いて、情報出力部８７が、ステップＳ５で読み出された記号パターン関連情報４３、またはステップＳ６で読み出された記号パターン非関連情報４５を表示部８９に出力する（ステップＳ７）。これにより、記号パターン関連情報４３または記号パターン非関連情報４５が表示部８９に表示される。
【００８２】
物品に付された表示コード１に記号パターン１４が配置されている場合、ユーザは、当該記号パターン１４の配列が表すメッセージを目視により取得すると同時に、当該記号パターン１４の配列に関連付けられた記号パターン関連情報４３を、表示コード読取装置４の表示部８９を見ることにより取得することができる。一方、物品に付された表示コード１に画像３１が配置されている場合、ユーザは、画像３１が表すメッセージを目視により取得すると同時に、当該表示コード１に関連付けられた記号パターン非関連情報４５を、表示コード読取装置４の表示部８９を見ることにより取得することができる。このように、本発明の実施形態による表示コード１によれば、メッセージを表現する媒体として記号パターン１４だけでなく、画像３１をも用いることができるので、物品ないし商品の魅力、デザイン性、訴求力等を高めることができる。画像３１を用いることにより、記号パターン１４の配列を用いる場合と比較し、より直感的で、より分かりやすく、または人の感情により強く訴えかけるようなメッセージを表現することが可能になる。
【００８３】
なお、上述した実施形態による表示コード１のフレームパターン１１は、図５に示すように四角形状であるが、本発明はこれに限らない。例えば、図１６に示す表示コード９１のように、フレームパターン９２を円形に形成してもよい。また、フレームパターンを三角形状、五角形状、六角形状、その他の多角形状に形成してもよい。
【００８４】
また、本発明は、請求の範囲および明細書全体から読み取ることのできる発明の要旨または思想に反しない範囲で適宜変更可能であり、そのような変更を伴う表示コードが付された物品、表示コード読取装置および情報伝達方法もまた本発明の技術思想に含まれる。
【符号の説明】
【００８５】
１、９１  表示コード
２  物品
３  表示コード生成装置
４  表示コード読取装置
１１、９２  フレームパターン
１２  パターン片
１３  記号パターン配置領域
１４  記号パターン
２１、２２  ガイドパターン
２４、２５、２６  内部情報パターン
２８  拡張パターン
３１  画像
４１  組合せ情報
４２  メッセージテキスト情報
４３  記号パターン関連情報
４４  記号パターン不存在情報
４５  記号パターン非関連情報
６１  フレームパターン形成部
６２  記号パターン形成部
６３  組合せ情報生成部
６４  ガイド・拡張パターン形成部
６５  記憶部
６６  情報入出力部
６７  操作部
６８  表示部
７１  表示コード生成画面
７２  メッセージ入力領域
７３  パターン形成ボタン
７４  記号パターン表示領域
７５  レイアウト設定ボタン
７６  情報入力領域
７７  登録ボタン
７８  画像挿入ボタン
８１  読取部
８２  補正部
８３  内部情報認識部
８４  記号パターン認識部
８５  情報読出部
８６  記憶部
８７  情報入出力部
８８  操作部
８９  表示部
【要約】
【課題】メッセージを人の目視を通じて直接的に伝達すると共に、メッセージに関連付けられた情報を光学的読取機能を備えた機器を通じて間接的に伝達する機能を有することに加え、メッセージを表現する媒体として記号パターンだけでなく、絵、イラスト、写真等をも用いることを可能にし、物品のデザイン性、訴求力を高める。
【解決手段】表示コード１のフレームパターン１１内に形成された記号パターン配置領域１３内に、記号パターンではなく画像３１を配置した場合には、記号パターン配置領域１３内に記号パターンが存在しないことを示す内部情報パターン２４をフレームパターン１１上に形成する。表示コード読取装置は、内部情報パターン２４を認識し、記号パターン配置領域１４内に記号パターンが存在しないことを知った場合には、記号パターンの認識処理を行わず、当該表示コード１に関連付けられた記号パターン非関連情報を読み出して表示する。
【選択図】図４【図１】
0005536951.tif 000002
【図２】
0005536951.tif 000003
【図３】
0005536951.tif 000004
【図４】
0005536951.tif 000005
【図５】
0005536951.tif 000006
【図６】
0005536951.tif 000007
【図７】
0005536951.tif 000008
【図８】
0005536951.tif 000009
【図９】
0005536951.tif 000010
【図１０】
0005536951.tif 000011
【図１１】
0005536951.tif 000012
【図１２】
0005536951.tif 000013
【図１３】
0005536951.tif 000014
【図１４】
0005536951.tif 000015
【図１５】
0005536951.tif 000016
【図１６】
0005536951.tif 000017